(57)【要約】【課題】装飾記号などの入力の操作性を向上する。【解決手段】  電子機器は、記号入力のための入力部と、前記入力部での入力に基づく記号を表示可能な表示部と、前記入力部で入力可能な記号に対応する装飾記号を前記表示部に表示するための装飾記号データを記憶する記憶部と、前記入力部で入力された記号に対応する前記装飾記号データを検索する検索部と、前記検索部が検索した前記装飾記号データに基づき、前記入力部で入力された記号に対応する前記装飾記号を変換候補として前記表示部に表示する表示制御部とを有する。【選択図】図３
2011008755.tif 000002
【特許請求の範囲】
【請求項１】
記号入力のための入力部と、
前記入力部での入力に基づく記号を表示可能な表示部と、
前記入力部で入力可能な記号に対応する装飾記号を前記表示部に表示するための装飾記号データを記憶する記憶部と、
前記入力部で入力された記号に対応する前記装飾記号データを検索する検索部と、
前記検索部が検索した前記装飾記号データに基づき、前記入力部で入力された記号に対応する前記装飾記号を変換候補として前記表示部に表示する表示制御部と
を有する電子機器。
【請求項２】
前記表示制御部は、
前記入力記号に対応した複数の前記装飾記号を前記表示部に表示する
請求項１記載の電子機器。
【請求項３】
前記記憶部は、
前記入力部から入力される記号に対する変換候補が対応付けられた辞書データを記憶し、
前記検索部は、
前記入力部から入力された記号を用いて前記辞書データを検索し、前記辞書データから、前記入力部から入力された記号に予め対応付けられている前記変換候補を抽出し、
前記表示制御部は、
前記表示部に、前記検索部が前記辞書データから抽出した変換候補とともに、装飾記号表示ボタンを前記入力部による選択候補として前記表示部に表示し、
前記入力部から前記装飾記号表示ボタンの選択を受け付けた場合に、前記検索部が検索した前記装飾記号データを、変換候補として前記表示部に表示する
請求項１記載の電子機器。
【請求項４】
前記記憶部は、
前記装飾記号表示ボタンを表示するか否かを示す設定データを記憶し、
前記表示制御部は、
前記設定データが前記装飾記号表示ボタンを表示しないものである場合、前記装飾記号表示ボタンを表示しない
請求項３記載の電子機器。
【請求項５】
前記装飾記号データは、
前記装飾記号のデータとして、装飾されていない記号のデータと、当該記号に適用可能な複数の装飾記号データとを有し、
前記表示制御部は、
前記複数の装飾記号データを組み合わせて適用した記号を表示部に表示する
請求項１から４のいずれか一項記載の電子機器。
【請求項６】
前記記憶部は、
前記入力部から入力される記号に対する変換候補が対応付けられた辞書データを記憶し、
前記検索部は、
前記入力部から入力された記号を用いて前記辞書データを検索し、前記辞書データから、前記入力部から入力された記号に予め対応付けられている前記変換候補を抽出し、
前記表示制御部は、
前記検索部が前記辞書データから抽出した前記変換候補と、前記検索部が検索した前記装飾記号データとを、前記入力された記号と置き換える選択候補として前記表示部に表示する
請求項１記載の電子機器。
【請求項７】
前記記憶部は、
前記入力部から入力される記号に対する変換候補が対応付けられた辞書データを記憶し、
前記検索部は、
前記入力部から入力された記号に対応する前記辞書データを検索し、前記辞書データから、前記入力部に入力された記号に予め対応付けられている記号を抽出し、
前記装飾記号データは、
前記装飾記号のデータとして、装飾されていない記号のデータと、当該記号に適用可能な複数の装飾記号データとを有し、
前記入力部は、
複数の操作キーを有し、
前記表示制御部は、
前記複数の操作キーに対する、前記検索部が前記装飾記号データから抽出した装飾記号のデータに含まれる複数の装飾に関するデータの割り当てを表示し、
前記操作キーが操作された場合、当該操作された操作キーが割り当てられた装飾を適用した装飾記号を、選択候補として前記表示部に表示する
請求項１記載の電子機器。
【請求項８】
前記表示部は、前記入力部が装飾記号データの入力を受け付けた場合、当該装飾記号データに関連付けられた記号を表示し、前記入力部によって表示した当該記号の選択が行われたとき、前記装飾記号データの示す装飾が施された前記記号を表示する
請求項１から７のいずれか1つに記載の電子機器。
【請求項９】
前記記憶部は、１つの記号に関連付けられた前記装飾記号データとして第１装飾記号データと、第２装飾記号データとを有し、
前記表示部は、前記第１装飾記号データの選択を前記入力部より受け付けた後に、前記第２装飾記号データを表示し、前記入力部によって当該第２装飾記号データが選択されたとき、前記第１装飾記号データと前記第２装飾記号データとが示す装飾が施された記号を表示する
請求項１から８のいずれか1つに記載の電子機器。
【請求項１０】
前記第１装飾記号データは、前記第２装飾記号データよりも前記入力部より選択を受け付けた回数が多い装飾記号データである
請求項９に記載の電子機器。
【請求項１１】
前記表示部は、前記記号を表示した後に前記装飾記号データを表示する際、選択終了ボタンを表示し、前記入力部によって前記選択終了ボタンが選択されると、予め設定された装飾記号データの示す装飾が施された記号を表示する
請求項７から９のいずれか１つに記載の電子機器。
【発明の詳細な説明】
【技術分野】
【０００１】
本発明は、装飾された記号を入力可能な電子機器に関する。
【背景技術】
【０００２】
最近の携帯電話機では、電子メールを作成する場合、電子メールに、記号を記述できるだけでなく、装飾した記号を記述することができる。
【０００３】
このような電子メール内に装飾模様を盛り込む機能は、デコレーションメール機能と呼ばれている。
【０００４】
近年、日本で発売される多くの携帯電話機は、このデコレーションメール機能を搭載している。
【０００５】
また、最近、デコレーションメール機能では、記号に対して、色、フォントタイプまたは大きさなどの様々な装飾記号データを設定することが可能となった。
【０００６】
特許文献１は、これら記号に対して様々な書式の設定をし易くするための技術を開示する。
【先行技術文献】
【特許文献】
【０００７】
【特許文献１】特開２００６−０７２８７５号公報
【発明の概要】
【発明が解決しようとする課題】
【０００８】
しかしながら、装飾の種類が全く特定されていないプレーンテキスト状態の記号に対して、たとえばテキスト毎に１つ１つの書式を設定する作業は、ユーザにとって煩雑な操作を要求することになる。
【０００９】
この作業は、特許文献１のようにプロパティメニュー（装飾の種類のメニュー）を表示したとしても変わらない。特許文献１でも、テキスト単位で、１つ１つのプロパティを設定する必要がある。
【００１０】
このように携帯電話機などの電子機器では、装飾記号の入力の操作性を向上することが求められている。
【課題を解決するための手段】
【００１１】
本発明に係る電子機器は、記号入力のための入力部と、前記入力部での入力に基づく記号を表示可能な表示部と、前記入力部で入力可能な記号に対応する装飾記号を前記表示部に表示するための装飾記号データを記憶する記憶部と、前記入力部で入力された記号に対応する前記装飾記号データを検索する検索部と、前記検索部が検索した前記装飾記号データに基づき、前記入力部で入力された記号に対応する前記装飾記号を変換候補として前記表示部に表示する表示制御部と有する。
【００１２】
更に好適には、前記表示制御部は、前記入力記号に対応した複数の前記装飾記号を前記表示部に表示する。
【００１３】
更に好適には、前記記憶部は、前記入力部から入力される記号に対する変換候補が対応付けられた辞書データを記憶し、前記検索部は、前記入力部から入力された記号を用いて前記辞書データを検索し、前記辞書データから、前記入力部から入力された記号に予め対応付けられている前記変換候補を抽出し、前記表示制御部は、前記表示部に、前記検索部が前記辞書データから抽出した変換候補とともに、装飾記号表示ボタンを前記入力部による選択候補として前記表示部に表示し、前記入力部から前記装飾記号表示ボタンの選択を受け付けた場合に、前記検索部が検索した前記装飾記号データを、変換候補として前記表示部に表示する。
【００１４】
更に好適には、前記記憶部は、前記装飾記号表示ボタンを表示するか否かを示す設定データを記憶し、前記表示制御部は、前記設定データが前記装飾記号表示ボタンを表示しないものである場合、前記装飾記号表示ボタンを表示しない。
【００１５】
更に好適には、前記装飾記号データは、前記装飾記号のデータとして、装飾されていない記号のデータと、当該記号に適用可能な複数の装飾記号データとを有し、前記表示制御部は、前記複数の装飾記号データを組み合わせて適用した記号を表示部に表示する。
【００１６】
更に好適には、前記記憶部は、前記入力部から入力される記号に対する変換候補が対応付けられた辞書データを記憶し、前記検索部は、前記入力部から入力された記号を用いて前記辞書データを検索し、前記辞書データから、前記入力部から入力された記号に予め対応付けられている前記変換候補を抽出し、前記表示制御部は、前記検索部が前記辞書データから抽出した前記変換候補と、前記検索部が検索した前記装飾記号データとを、前記入力された記号と置き換える選択候補として前記表示部に表示する。
【００１７】
更に好適には、前記記憶部は、前記入力部から入力される記号に対する変換候補が対応付けられた辞書データを記憶し、前記検索部は、前記入力部から入力された記号に対応する前記辞書データを検索し、前記辞書データから、前記入力部に入力された記号に予め対応付けられている記号を抽出し、前記装飾記号データは、前記装飾記号のデータとして、装飾されていない記号のデータと、当該記号に適用可能な複数の装飾記号データとを有し、前記入力部は、複数の操作キーを有し、前記表示制御部は、前記複数の操作キーに対する、前記検索部が前記装飾記号データから抽出した装飾記号のデータに含まれる複数の装飾に関するデータの割り当てを表示し、  前記操作キーが操作された場合、当該操作された操作キーが割り当てられた装飾を適用した装飾記号を、選択候補として前記表示部に表示する。
【００１８】
更に好適には、前記表示部は、前記入力部が装飾記号データの入力を受け付けた場合、当該装飾記号データに関連付けられた記号を表示し、前記入力部によって表示した当該記号の選択が行われたとき、前記装飾記号データの示す装飾が施された前記記号を表示する。
【００１９】
更に好適には、前記記憶部は、１つの記号に関連付けられた前記装飾記号データとして第１装飾記号データと、第２装飾記号データとを有し、前記表示部は、前記第１装飾記号データの選択を前記入力部より受け付けた後に、前記第２装飾記号データを表示し、前記入力部によって当該第２装飾記号データが選択されたとき、前記第１装飾記号データと前記第２装飾記号データとが示す装飾が施された記号を表示する。
【００２０】
更に好適には、前記第１装飾記号データは、前記第２装飾記号データよりも前記入力部より選択を受け付けた回数が多い装飾記号データである。
【００２１】
更に好適には、前記表示部は、前記記号を表示した後に前記装飾記号データを表示する際、選択終了ボタンを表示し、前記入力部によって前記選択終了ボタンが選択されると、予め設定された装飾記号データの示す装飾が施された記号を表示する。
【発明の効果】
【００２２】
本発明によれば、入力の操作性を向上できる。
【図面の簡単な説明】
【００２３】
【図１】図１は、本発明の実施形態に係る携帯電話機の外観図である。
【図２】図２は、図１の携帯電話機のハードウェア構成図である。
【図３】図３は、電子メール作成時における携帯電話機の機能ブロック図である。
【図４】図４は、表示部に表示される記号「−（ライン）」の装飾記号データのリストである。
【図５】図５は、装飾データベースにおける記号「−（ライン）」のデータ構造の説明図である。
【図６】図６は、装飾データベースにおける他の装飾記号データのデータ構造の説明図である。
【図７】図７は、図３の携帯電話機により、記号「−（ライン）」を入力する場合のフローチャートである。
【図８】図８は、図７の入力処理において表示部に表示される表示画面である。
【図９】図９は、比較例の携帯電話機での記号「−（ライン）」を入力する場合のフローチャートである。
【図１０】図１０は、図３の携帯電話機により、赤色、長さ１０、太さ１という装飾記号データの示す装飾が施された記号「−（ライン）」を入力するための別方法での表示画面の説明図である。
【図１１】図１１は、装飾候補と変換候補とを一緒に表示する表示画面例である。
【図１２】図１２は、表示部に、変換候補とともに、複数のファンクションキーに対する装飾記号データの示す装飾の割り当てを表示する表示画面例である。
【図１３】図１３は、本発明の第３実施形態における表示部に表示される画面表示の一例である。
【図１４】図１４は、本発明の第３実施形態における表示部に表示される画面表示の一例である。
【発明を実施するための形態】
【００２４】
＜第１実施形態＞
以下、本発明の実施形態を図面に関連付けて説明する。
【００２５】
図１は、本発明の実施形態に係る携帯電話機１の外観図である。
携帯電話機１は、長方形の板形状の筐体１０１を有する。
図２は、図１の携帯電話機１のハードウェア構成図である。
携帯電話機１は、たとえば無線通信部（ＲＦ）１１と、操作部（ＫＥＹ）１２と、表示部（ＤＩＳＰ）１３と、ＣＰＵ１４と、記憶部（ＭＥＭ）１５と、音声モデム部（ＭＯＤＥＭ）１６と、これらを接続するシステムバス１７とを有する。
【００２６】
無線通信部１１は、図示しない基地局との通信チャネルを確立し、基地局と通信データを送受する。
【００２７】
そして、無線通信部１１は、ＣＰＵ１４からの入力信号に含まれる通信データを基地局へ無線送信し、基地局から受信した通信データを含む信号をＣＰＵ１４へ出力する。
【００２８】
表示部１３は、図示外のＬＣＤ（Ｌｉｑｕｉｄ  Ｃｒｙｓｔａｌ  Ｄｉｓｐｌａｙ  Ｄｅｖｉｃｅ）や有機ＥＬ（Ｅｌｅｃｔｒｏ−Ｌｕｍｉｎｅｓｃｅｎｃｅ）デバイスなどを有する。ＬＣＤまたは有機ＥＬデバイスは、図１に示すように、携帯電話機１の表面に配置される。
そして、表示部１３は、ＣＰＵ１４から入力された信号に含まれる表示データを表示する。これにより、表示部１３は、たとえば後に詳述する装飾記号などを含む電子メールの作成画面などを表示する。
また、表示部１３は、操作部１２から入力された未確定の文字、および確定された文字を表示する。
【００２９】
操作部１２は、複数の操作キーを有する。複数の操作キーには、たとえばファンクションキー、電源キー、通話キー、数字キー、文字キー、発信キーなどがある。操作キーは、図１に示すように、携帯電話機１の表面に配置される。
図１には、表示部１３の下縁に沿って、３個のファンクションキー２１が配列されている。
【００３０】
そして、操作部１２は、ユーザにより操作された操作キーに対応する信号をＣＰＵ１４へ出力する。
【００３１】
音声モデム部１６は、スピーカ１８およびマイクロホン１９に接続される。
そして、音声モデム部１６は、マイクロホン１９に入力された音声をサンプリングし、音声データを含む信号をＣＰＵ１４へ出力する。
また、音声モデム部１６は、ＣＰＵ１４からの入力信号に含まれる音声データによりスピーカ１８を駆動する。これにより、スピーカ１８から音声データに対応する音声が出力される。
【００３２】
記憶部１５は、ＣＰＵ１４が読み込んで実行可能なプログラム、ＣＰＵ１４が使用するデータなどを有する。
【００３３】
記憶部１５に記憶されるプログラムは、たとえばＣＤ−ＲＯＭ（Ｃｏｍｐａｃｔ  Ｄｉｓｃ  Ｒｅａｄ  Ｏｎｌｙ  Ｍｅｍｏｒｙ）などのコンピュータ読み取り可能な記録媒体に記録されたものをインストールしたものであってもよい。
【００３４】
また、記憶部１５に記憶されるプログラムは、インターネットなどの伝送媒体を介してダウンロードしたものをインストールしたものであってもよい。
【００３５】
ＣＰＵ１４は、プログラムを実行するコンピュータである。
そして、ＣＰＵ１４が、記憶部１５に記憶されるプログラムを実行することで、携帯電話機１には各種の機能が実現される。
【００３６】
図３は、電子メール作成時に携帯電話機１に実現される機能を示すブロック図である。
電子メールには、装飾された（装飾記号データの示す装飾が施された）文字（記号）などを入力できる。
そして、電子メール作成時の携帯電話機１には、文字入力のための機能として、入力判定部（ＩＮＰ）３１、表示制御部（Ｄ＿ＣＴＲＬ）３２、変換候補検索部（ＣＨＲ＿ＳＣＨ）３３、装飾候補検索部（ＤＥＣＯ＿ＳＣＨ）３４、選択候補テーブル生成部（ＴＢＬ＿ＧＥＮ）３５、および変換確定部（ＳＥＬ）３６が実現される。
【００３７】
また、図３には、電子メール作成時にＣＰＵ１４が利用するデータとして、文字コードデータベース（ＣＯＤＥ）４１、辞書データベース（ＤＩＣ）４２、装飾データベース（ＰＲＯＰ）４３、設定データ（ＳＥＴ＿Ｄ）４４、選択候補テーブル（ＲＰ＿ＴＢＬ）４５、電子メールデータ（ＭＡＩＬ＿Ｄ）４６が図示されている。これらのデータは、記憶部１５に記憶される。
【００３８】
文字コードデータベース４１は、たとえば操作部１２から入力可能な複数の文字それぞれに、互いに異なる値のＪＩＳコードを対応付けたデータベースである。
ＪＩＳコードが対応付けられた文字としては、ひらがな、カタカナ、漢字、などがある。符号には「！」「？」などがある。
【００３９】
なお、本発明における記号とは、一定の内容を表すために用いられる文字・符号などの総称のことを指す。換言すれば、本明細書においては、記号という概念は、文字または符号の概念を包括する概念であり、決して「！」「？」といった符号のみを指し示す概念ではない。
【００４０】
入力判定部３１は、操作部１２からの入力を受け付ける。
そして、入力判定部３１は、操作されたキーに基づいて、入力データを生成する。たとえば文字キーが操作された場合、入力判定部３１は、文字コードデータベース４１を参照し、入力データとして未確定文字データを生成する。
【００４１】
未確定文字データは、１文字の文字コードで構成されても、複数の文字の文字コードで構成されてもよい。
また、ファンクションキー２１が操作された場合、入力判定部３１は、入力データとしてたとえば文字を変換する選択候補の選択データを生成する。
【００４２】
辞書データベース４２は、ひらがなまたはカタカナなどの文字（文字列を含む）と対応付けて、そのかなで読まれる漢字の文字また文字列の変換候補を記憶する。
たとえば辞書データベース４２は、ひらがな「せん」に漢字の変換候補「線」、「先生」、「先日」、「先週」などを対応付けて記憶する。
また、ひらがな「あか」に変換候補「赤」、「赤ちゃん」、「明るい」、「アカウント」などを対応付けて記憶する。
【００４３】
変換候補検索部３３には、入力判定部３１から、未確定文字データが入力される。
そして、変換候補検索部３３は、未確定文字データを用いて辞書データベース４２を検索し、未確定文字データに対応する変換候補を抽出する。変換候補検索部３３は、抽出した変換候補を含む変換候補リストデータを生成する。
【００４４】
装飾データベース４３は、ひらがなまたはカタカナなどの文字（文字列を含む）と対応付けて、それらの「かな」から連想可能な装飾された文字などの記号を記憶する。
【００４５】
図４は、表示部１３に表示される「−（ライン）（記号）」についての装飾記号データのリストである。
記号としての「−（ライン）」は、線の色、長さ、太さなどの装飾記号データを有し、各装飾記号データについて値の設定が可能である。たとえばラインの色の装飾記号データには、黒、白、赤、青、黄、緑、紫などがある。
【００４６】
図５は、装飾データベース４３に記憶される記号「−（ライン）」のデータ構造を示す説明図である。
図５に示すように、装飾データベース４３には、記号「−（ライン）」のデータとして、よみがな「せん」、表示物「−（ライン）」、複数の装飾候補を有する。
複数の装飾候補は、記号と当該記号に関連付けられた装飾記号データとが組み合わせられたデータである。
装飾候補は、たとえば［線］［黒］といったデータである。
なお、図５の装飾データベース４３には、記号「−（ライン）」に設定可能な複数の装飾記号データが関連付けられて記憶されている。
【００４７】
図６は、装飾データベース４３に記憶される他の記号のデータ構造を示す説明図である。
たとえば、装飾データベース４３には、よみがな「あか」に対して、装飾記号データ［赤色］、装飾候補［線］［赤］、装飾候補［背景］［赤］を関連付けられる。
関連装飾候補［線］［赤］は、赤色のラインを示す。また、関連装飾候補［背景］［赤］は、赤色の背景を示す。
【００４８】
装飾候補検索部３４には、入力判定部３１から、未確定文字データが入力される。
そして、装飾候補検索部３４は、未確定文字データを用いて装飾データベース４３を検索し、未確定文字データに対応する装飾候補を抽出する。装飾候補検索部３４は、抽出した装飾候補を含む装飾候補リストデータを生成する。
【００４９】
設定データ４４は、表示部１３に表示する未確定の文字の選択候補についての設定値を有する。設定データ４４の値は、たとえばユーザによる操作部１２の操作により設定されればよい。
なお、設定データ４４は、携帯電話機１で利用するアプリケーション毎に異なる値を有してもよい。たとえば、設定データ４４は、電子メールの作成において装飾文字を選択候補として表示する値と、電話帳の更新登録時に装飾文字を選択候補として表示しない値とを有してもよい。
【００５０】
選択候補テーブル生成部３５には、変換候補検索部３３から変換候補リストデータが入力され、装飾候補検索部３４から装飾候補テーブルが入力される。
そして、選択候補テーブル生成部３５は、設定データ４４を読み込み、設定データ４４の値に応じた選択候補テーブル４５を生成する。
たとえば設定データ４４が装飾文字を表示する値である場合、選択候補テーブル生成部３５は、変換候補リストデータの変換候補と、装飾候補テーブルの装飾候補とを選択候補として表示するための選択候補テーブル４５を生成する。
また、設定データ４４が装飾文字を表示しない値である場合、選択候補テーブル生成部３５は、変換候補リストデータの変換候補のみを選択候補として表示するための選択候補テーブル４５を生成する。
【００５１】
選択候補テーブル４５は、選択候補テーブル生成部３５により生成されるテーブルである。
そして、選択候補テーブル４５は、たとえば変換候補リストデータの変換候補と、装飾候補テーブルの装飾候補とを有する。
【００５２】
電子メールデータ４６は、携帯電話機１で作成する電子メールのデータである。電子メールは、送信先アドレスと、送信元アドレスと、本文データとを有する。
電子メールの本文には、標準設定に基づいて表示される文字の他に、装飾文字を入力することができる。
【００５３】
表示制御部３２には、入力判定部３１から、未確定文字データが入力される。
そして、表示制御部３２は、たとえば電子メールデータ４６を読み込み、電子メールデータ４６の本文の文字列に、未確定文字データの文字を追加した文字列を生成する。また、表示制御部３２は、生成した文字列を表示部１３に表示させる。
これにより、表示部１３には、電子メールデータ４６の本文と、未確定文字とが表示される。
また、表示制御部３２には、選択候補テーブル生成部３５から、選択候補テーブル４５が入力される。
そして、表示制御部３２は、選択候補テーブル４５に含まれる選択候補を、表示部１３に表示する。
これにより、表示部１３には、未確定文字を変換するための選択候補が表示される。
【００５４】
変換確定部３６には、入力判定部３１から、選択候補の選択データが入力される。
そして、変換確定部３６は、たとえば選択データに基づいて、選択候補テーブル４５から、１個の選択候補を選択する。また、変換確定部３６は、作成中の電子メールデータ４６のたとえば本文の末尾に、選択した選択候補を追加する。
これにより、作成中の電子メールデータ４６には、確定した選択候補の文字列が追加される。
【００５５】
次に、図３の携帯電話機１による文字の入力および変換動作を説明する。
図７は、図３の携帯電話機１により、記号の1つである「−（ライン）」を入力する場合のフローチャートである。
図８は、図７の各ステップでの表示部１３の表示画面の説明図である。
【００５６】
操作部１２の文字キーが操作されると、入力判定部３１は、文字コードデータベース４１を検索し、操作された文字キーに対応する未確定文字を選択する（ステップＳＴ１）。
未確定文字データは、入力判定部３１から表示制御部３２へ出力される。
表示制御部３２は、電子メールデータ４６の文字列を読み込んで、その末尾に未確定文字を追加した文字列を表示部１３に表示させる。
これにより、表示部１３の表示は、図８（Ａ）の未入力画面から、図８（Ｂ）の入力画面に変化する。
図８（Ｂ）には、電子メールデータ４６の「おはよう」の確定文字の次の行に、未確定文字列「せん」が入力されている。
【００５７】
また、未確定文字データは、入力判定部３１から、変換候補検索部３３および装飾候補検索部３４へ出力される。
変換候補検索部３３は、未確定文字「せん」を用いて辞書データベース４２を検索し、「線」、「先生」、「先日」、「先週」などを変換候補として抽出する。
抽出された変換候補は、変換候補リストデータにより、選択候補テーブル生成部３５に入力される。
【００５８】
また、装飾候補検索部３４は、未確定文字「せん」を用いて装飾データベース４３を検索し、図５の［線］［黒］といった装飾候補を抽出する。
抽出された装飾候補は、装飾候補リストデータにより、選択候補テーブル生成部３５に入力される。
【００５９】
選択候補テーブル生成部３５は、設定データ４４を参照する。
そして、設定データ４４の値が装飾候補を選択候補として表示する値である場合、選択候補テーブル生成部３５は、変換候補リストデータの複数の変換候補と、装飾候補リストデータの複数の装飾候補とを選択候補として表示する選択候補テーブル４５を生成する。
【００６０】
表示制御部３２は、この選択候補テーブル４５に含まれる選択候補を表示部１３に表示する（ステップＳＴ２）。
これにより、表示部１３には、図８（Ｂ）に示すように、まず、複数の変換候補と、［線］とが表示される。
［線］は、装飾候補を表示部１３に表示させるための装飾記号表示ボタン５１である。
【００６１】
選択候補が表示部１３に表示されている状態で、操作部１２が装飾候補選択ボタン装飾記号表示ボタン５１［線］を選択すると、入力判定部３１は、装装飾記号表示ボタン５１［線］の選択データを生成する（ステップＳＴ３）。
また、表示制御部３２は、この選択データに基づいて、表示部１３に表示する選択候補を、装飾候補に切り替える（ステップＳＴ４）。
図８（Ｃ）は、表示部１３に装飾候補を表示する表示画面である。
【００６２】
装飾候補が表示部１３に表示されている状態で、操作部１２がいずれか１つの選択候補を選択すると、入力判定部３１は、選択された装飾候補の選択データを生成する（ステップＳＴ５）。
変換確定部３６は、この選択された装飾候補の選択データを取得する。変換確定部３６は、たとえば装飾候補［線］［赤］を取得する。
また、表示制御部３２は、選択データに基づいて選択された装飾候補を判定し、表示部１３に表示する選択候補の順番を入れ替える（ステップＳＴ６）。
例えば図８（Ｃ）の選択画面において、装飾候補［線］［赤］が選択された場合、表示制御部３２は、色の装飾記号データが選択済みであるとして、色の装飾候補を最後に表示するように、表示部１３に表示する装飾候補の表示順を入れ替える。
これにより、図８（Ｄ）に示すように、表示部１３に表示される装飾候補は、色、長さ、太さの順から、長さ、太さ、色の順になる。
【００６３】
図８（Ｄ）のように長さ、太さ、色の順番で装飾候補が表示部１３に表示されている状態で、操作部１２がいずれか１つの選択候補を選択すると、入力判定部３１は、選択された装飾候補の選択データを生成する（ステップＳＴ７）。
変換確定部３６は、この選択された装飾候補の選択データを取得する。
変換確定部３６は、たとえば装飾候補［線］［長１０］を取得する。
また、表示制御部３２は、選択データに基づいて選択された装飾候補を判定し、表示部１３に表示する選択候補の順番を入れ替える（ステップＳＴ８）。
これにより、図８（Ｅ）に示すように、表示部１３に表示される装飾候補は、太さ、色、長さの順番になる。
【００６４】
ここでさらに、操作部１２がいずれか１つの選択候補を選択すると、入力判定部３１は、選択された装飾候補の選択データを生成する（ステップＳＴ９）。
変換確定部３６は、この選択された装飾候補の選択データを取得する。
変換確定部３６は、たとえば装飾候補［線］［太１］を取得する。
【００６５】
以上のように、記号「−（ライン）」のすべての装飾記号データが選択されると、変換確定部３６は、取得した装飾記号データの示す装飾が施された記号の情報を、電子メールデータ４６に追加する。
ここでは、変換確定部３６は、赤色、長さ１０、太さ１という装飾記号データの示す装飾が施された記号「−（ライン）」のデータを、電子メールデータ４６に追加する。
また、表示制御部３２は、電子メールデータ４６からデータを読み込んで表示部１３に表示する。
これにより、図８（Ｆ）に示すように、表示部１３には、赤色、長さ１０、太さ１の「−（ライン）」が表示される。
【００６６】
なお、図７の途中において、操作部１２の選択終了ボタンが操作された場合、変換確定部３６は、それまでに取得した装飾記号データの情報を、電子メールデータ４６に追加する。
これによりたとえば、電子メールデータ４６には、記号「−（ライン）」に対して赤色、長さ１０の装飾記号データの示す装飾が施されたデータが追加される。
この場合、記号「−（ライン）」の太さは、携帯電話機１の標準設定の太さで表示されることになる。
【００６７】
図９は、比較例の携帯電話機での記号「−（ライン）」を入力する場合のフローチャートである。
比較例の携帯電話機では、文字入力モードとは別の装飾入力モードにおいて、記号「−（ライン）」を入力する。また、比較例の携帯電話機では、装飾入力モードにおいて、表示物「−（ライン）」の装飾記号データを１つずつ入力する必要がある。
具体的には、比較例の携帯電話機は、まず、装飾モードを選択し（ステップＳＴ２１）、ライン挿入を選択する（ステップＳＴ２２）。
そして、ラインの色を赤色にするためには、比較例の携帯電話機は、装飾モードを選択し（ステップＳＴ２３）、装飾の範囲を指定し（ステップＳＴ２４）、入力済みのラインを選択し（ステップＳＴ２５）、装飾記号データを選択し（ステップＳＴ２６）、色の変更を選択し（ステップＳＴ２７）、赤色を選択する（ステップＳＴ２８）。
また、ラインの長さを１０にするためには、比較例の携帯電話機は、装飾モードを選択し（ステップＳＴ２９）、装飾の範囲を指定し（ステップＳＴ３０）、入力済みのラインを選択し（ステップＳＴ３１）、装飾記号データを選択し（ステップＳＴ３２）、長さの変更を選択し（ステップＳＴ３３）、長さ１０を選択する（ステップＳＴ３４）。
また、ラインの太さを１にするためには、比較例の携帯電話機は、装飾モードを選択し（ステップＳＴ３５）、装飾の範囲を指定し（ステップＳＴ３６）、入力済みのラインを選択し（ステップＳＴ３７）、装飾記号データを選択し（ステップＳＴ３８）、太さの変更を選択し（ステップＳＴ３９）、太さ１を選択する（ステップＳＴ４０）。
このように比較例の携帯電話機では、表示物「−（ライン）」に適用したい装飾の数に応じて、操作量が増えてしまう。
【００６８】
図１０は、図３の携帯電話機１により、赤色、長さ１０、太さ１の「−（ライン）」を別の方法で入力する場合の、表示部１３の表示画面の説明図である。
この別の入力方法では、図１０（Ａ）の状態において、図１０（Ｂ）に示すように未確定文字として「あか」を入力する。
【００６９】
操作部１２の文字キーが操作されると、入力判定部３１は、文字コードデータベース４１を検索し、操作された文字キーに対応する未確定文字を選択する。
また、変換候補検索部３３は、未確定文字「あか」を用いて装飾データベース４３を検索し、図６の［赤色］の装飾記号データを抽出する。
選択候補テーブル生成部３５は、抽出された装飾記号データ［赤色］を含む選択候補テーブル４５を生成する。
これにより、表示制御部３２は、まず、図１０（Ｂ）に示すように、変換候補とともに、装飾記号表示ボタン５１である［赤色］が表示される。
【００７０】
また、この装飾記号表示ボタン５１である［赤色］が操作部１２により選択されると、
図１０（Ｃ）に示すように、表示制御部３２は、図６の関連装飾候補を表示部１３に表示させる。
ここでたとえば装飾候補［線］［赤］が操作部１２により選択されると、図１０（Ｄ）に示すように、装飾候補［線］［赤］を装飾候補として含む図５のデータに基づいて、表示部１３に装飾候補を表示する。
また、表示部１３に表示した装飾候補が操作部１２により選択されると、表示制御部３２は、選択された装飾候補を判定し、図１０（Ｅ）に示すように、表示部１３に表示する選択候補の順番を入れ替える。
そして、記号「−（ライン）」のすべての装飾記号データが選択されると、変換確定部３６は、装飾記号データの示す装飾が施された記号「−（ライン）」の情報を、電子メールデータ４６に追加する。
また、表示制御部３２は、電子メールデータ４６からデータを読み込んで表示部１３に表示する。
これにより、図８（Ｆ）に示すように、表示部１３には、赤色、長さ１０、太さ１の「−（ライン）」が表示される。
【００７１】
以上の実施形態は、本発明の好適な実施形態の例であるが、本発明は、これに限定されず、発明の要旨を逸脱しない範囲において種々の変形または変更が可能である。
【００７２】
たとえば上記実施形態では、表示制御部３２は、変換候補とともに表示された装飾候補選択ボタンが選択された場合に、装飾候補を表示部１３に表示している。
この他にも例えば、表示制御部３２は、変換候補と装飾候補とを一緒に表示部１３に表示してもよい。
【００７３】
＜第２実施形態＞
図１１は、装飾候補と変換候補とを一緒に表示する表示部１３の表示画面例である。図１１において、左列は、変換候補の列であり、中央列は、青色を適用した装飾候補の列であり、右列は、赤色を適用した装飾候補の列である。
【００７４】
さらに他にも例えば、表示制御部３２は、表示部１３に、変換候補を表示するとともに、操作部１２の複数のファンクションキー２１に、装飾記号データの割り当てを表示してもよい。
この場合、表示制御部３２は、ファンクションキー２１により変換候補が選択されると、その操作されたファンクションキー２１に割り当てた装飾記号データを適用した装飾候補を、選択候補として表示部１３に表示する。
図１２は、変換候補とともに、表示部１３に、複数のファンクションキー２１に対する装飾記号データの割り当てを表示する表示部１３の表示画面例である。
図１２の表示画面の下部には、表示部１３の下縁に沿って配列された３個のファンクションキー２１に対する装飾記号データの割り当てが表示されている。
また、左側のファンクションキー２１には、青色の装飾記号データが割り当てられ、右側のファンクションキー２１には、赤色の書式が割り当てられている。これに対して、中央のファンクションキー２１には、装飾記号データが割り当てられていない。
そして、たとえば右側のファンクションキー２１が操作されると、表示制御部３２は、青色を適用したＡ１、Ａ２、Ａ３、Ａ４の装飾候補を、表示部１３に表示する。
【００７５】
＜第３実施形態＞
図１３は、本発明の他の実施形態における表示部１３の表示の遷移を示した図である。
なお、記憶部１５には、記号として「線（前実施形態における−（ライン）のこと）」「背景」が記憶されており、「線」という記号に関連付けられた装飾記号データとして色の装飾記号データ、長さの装飾記号データおよび太さの装飾記号データが記憶されているものとする。また、記憶部１５には、「背景」という記号に対して色の装飾記号データが関連付けられて記憶されているものとする。
たとえば、操作部１２は、「線」という記号の入力を受け付けたとする（図１３（Ａ））。図１３（Ａ）に示す状態において、さらに操作部１２は、「せん」に対する変換候補を表示部１３に表示する入力を受け付けたとき、たとえば「先生、先端、扇子・・・」といった「せん」に対する予測変換候補と同時に［線］という表示を行う（図１３（Ｂ））。
【００７６】
表示部１３に表示された［線］は、「線」という記号を示すものである。表示部１３に［線］が表示された場合において、操作部１２が［線］の選択の入力を受け付けると、表示部１３は「線」という記号に関連付けられた装飾記号データを表示する。本実施形態においては、［線］という記号が選択されると、表示部１３は「［線］［赤］、［線］［青］、［線］［黒］・・・」といった線の色の装飾記号データを表示する（図１３（Ｃ））。
【００７７】
表示部１３が図１３（Ｃ）に示すような、線の色の装飾記号データを表示している場合に、操作部１２がたとえば「［線］［赤］」の選択の入力を受け付けたとき、表示部１３は、次に「［線］［５］、［線］［１０］、［線］［１５］・・・」という線の長さの装飾記号データを表示する（図１３（Ｄ））。
【００７８】
そして、表示部１３が図１３（Ｄ）に示すような、線の長さの装飾記号データを表示している場合に、操作部１２がたとえば「［線］［１０］」の選択の入力を受け付けたとき、表示部１３は、次に「［線］［細］、［線］［中］、［線］［太］・・・」という線の太さの装飾記号データを表示する（図１３（Ｅ））。
【００７９】
最後に、表示部１３が図１３（Ｅ）に示すような、線の太さの装飾記号データを表示している場合に、操作部１２がたとえば「［線］［中］」の選択の入力を受け付けたとき、表示部１３は、赤色で長さが１５で太さが「太」の線１３１を表示する（図１３（Ｆ））。
【００８０】
このように、線という記号が選択された後に、色、長さおよび太さの装飾記号データを順次ウィザード形式のように表示してユーザに選択させることにより、携帯電話機１は、簡単な操作をユーザに要求するだけで装飾記号データの示す装飾が施された記号を表示することが可能となる。
【００８１】
図１４は、別の実施形態における表示部１３の表示の遷移を示した図である。
たとえば、操作部１２は、最初に「あか」という装飾記号データの入力を受け付けたとする（図１４（Ａ））。
図１４（Ｂ）に示す状態において、さらに操作部１２は、「あか」に対する変換候補を表示部１３に表示する入力を受け付けたとき、たとえば「赤、アカウント、赤ちゃん・・・」といった「あか」に対する予測変換候補と同時に［赤］という表示を行う（図１４（Ｂ））。
【００８２】
表示部１３に表示された［赤］は、装飾記号データを示すものである。表示部１３に［赤］が表示された場合において、操作部１２が［赤］の選択の入力を受け付けると、表示部１３は「赤」という装飾記号データに関連付けられた記号である［線］や［背景］を表示する（図１４（Ｃ））。
【００８３】
表示部１３が図１４（Ｃ）に示すような、［赤］という装飾記号データが関連付けられた［線］や［背景］を表示している場合に、操作部１２がたとえば「［線］［赤］」の選択の入力を受け付けたとき、表示部１３は、次に「［線］［５］、［線］［１０］、［線］［１５］・・・」という線の長さの装飾記号データを表示する（図１４（Ｄ））。
【００８４】
そして、表示部１３が図１４（Ｄ）に示すような、線の長さの装飾記号データを表示している場合に、操作部１２がたとえば「［線］［１０］」の選択の入力を受け付けたとき、表示部１３は、次に「［線］［細］、［線］［中］、［線］［太］・・・」という線の太さの装飾記号データを表示する（図１４（Ｅ））。
【００８５】
最後に、表示部１３が図１４（Ｅ）に示すような、線の太さの装飾記号データを表示している場合に、操作部１２がたとえば「［線］［中］」の選択の入力を受け付けたとき、表示部１３は、赤色で長さが１５で太さが「太」の線１３１を表示する。
【００８６】
このように、操作部１２によって［赤］という色の装飾記号データが最初に選択された場合には、表示部１３は［線］や［背景］といった選択された装飾記号データが関連付けられた記号を表示する。そして、記号が操作部１２によって選択された後に、最初に選択された装飾記号データ（本実施形態では色の装飾記号データ）以外の装飾記号データを、表示部１３は順次ウィザード形式のように表示しユーザに選択させる。このような構成により、やはり携帯電話機１は、簡単な操作をユーザに要求するだけで装飾記号データの示す装飾が施された記号を表示することが可能となる。
【００８７】
また、図１３において説明した実施形態においては、携帯電話機１は「色の装飾記号データ」→「長さの装飾記号データ」→「太さの装飾記号データ」の順番で装飾記号データを表示部１３に表示させ操作部１２より選択を受け付け、図１４において説明した実施形態においては、「長さの装飾記号データ」→「太さの装飾記号データ」の順番で装飾記号データを表示部１３に表示させ操作部１２より選択を受け付けたものの、装飾記号データの表示および選択の順番はこれに限られない。たとえば、装飾記号データが表示および選択される順番は、ユーザの使用頻度が高い装飾記号データほど最初に表示、選択されるようにしてもよい。たとえば、ユーザの入力履歴において、「あか」という色の装飾記号データを示す未確定状態の入力を操作部１２より受け付けた回数が、「長さ」という長さの装飾記号データを示す未確定状態の入力を操作部１２より受け付けた回数よりも多い場合には、表示部１３は「長さの装飾記号データ（第１装飾記号データ）」→「色の装飾記号データ（第２装飾記号データ）」という順番で表示してもよい。
【００８８】
さらに、表示部１３は、装飾記号データを表示する際に、たとえば［線］［終］（選択終了ボタン）のような表示を行い、当該［線］［終］の選択を操作部１２が受け付けた場合、携帯電話機１は装飾記号データの選択が終了したとみなす制御を行ってもよい。
【００８９】
具体的には、例えば図１３における表示の遷移において、表示部１３が図１３（Ｄ）の表示を行っている場合において、操作部１２が［線］［終］の選択を受け付けたとき、表示部１３は図１３（Ｅ）に示す表示を行わずに、図１３（Ｆ）に示す画面を表示する。換言すれば、図１３（Ｃ）の段階までにおいて、線という記号と赤という装飾記号データとの選択をユーザより受け付けた時点で、表示部１３は赤色の線を表示する。つまり、操作部１２は、長さと太さの装飾記号データの選択を受け付けない。
【００９０】
なお、このときに表示された赤色の線の長さと太さは、予め記憶部１５に記憶されているものが採用されても良いし、ユーザの使用頻度が最も高い長さや太さが採用されても良い。
【００９１】
このように、装飾記号データの選択と同時に、「装飾記号データの選択を行わないという選択」をユーザに提示することにより、ユーザは自身が設定したい装飾記号データのみを選択するだけで、所望の装飾記号データの示す装飾が施された記号を表示部１３に表示することが出来るようになる。
特に、前述したように装飾記号データが表示部１３に表示される順番がユーザの使用頻度の高い順番であるときには、後に表示される装飾記号データの選択ほどユーザにとっては関心の薄い装飾記号データである可能性が高いため、「装飾記号データの選択を行わないという選択」をユーザに与えることはユーザの利便性を格段に上昇させることが出来る。
【００９２】
上記実施形態は、携帯電話機１の例である。
この他にも、本発明は、ＰＨＳ（Ｐｅｒｓｏｎａｌ  Ｈａｎｄｙ  Ｐｈｏｎｅ）端末、ＰＤＡ（Ｐｅｒｓｏｎａｌ  Ｄａｔａ  Ａｓｓｉｓｔａｎｔ）、携帯ゲーム機器、パーソナルコンピュータなどの電子機器に適用することができる。
【符号の説明】
【００９３】
１…携帯電話機（電子機器）、１２…操作部（入力部）、１３…表示部、１３１…線、１５…記憶部、２１…ファンクションキー（操作キー）、３２…表示制御部、３３…変換候補検索部（検索部の一部）、３４…装飾候補検索部（検索部の一部）、４２…辞書データベース（辞書データ）、４３…装飾データベース（装飾データ）、４４…設定データ、５１…装飾記号表示ボタン
【図１】
2011008755.tif 000003
【図２】
2011008755.tif 000004
【図３】
2011008755.tif 000005
【図４】
2011008755.tif 000006
【図５】
2011008755.tif 000007
【図６】
2011008755.tif 000008
【図７】
2011008755.tif 000009
【図８】
2011008755.tif 000010
【図９】
2011008755.tif 000011
【図１０】
2011008755.tif 000012
【図１１】
2011008755.tif 000013
【図１２】
2011008755.tif 000014
【図１３】
2011008755.tif 000015
【図１４】
2011008755.tif 000016